(57)【特許請求の範囲】
【請求項１】
４方枠内に室内側障子と室外側障子とを備え、前記室内側障子の召合せ内框にクレセント錠を備え、このクレセント錠がケース内にトリガとこのトリガの往復動作に応じて回動するキーとこのキーの回動によって拘束解除された場合に回動可能なスプーンとを一体に有し、前記ケースの表面に前記スプーンを回動して前記クレセント錠を施解錠する操作部を設けるとともに、当該ケースの裏面に前記トリガ、前記キー及び前記スプーンを当該裏面に沿った略同一面内に配置し、前記ケースが前記召合せ内框の表面部に前記操作部を臨ませて当該召合せ内框の内側に固定されていることを特徴とする建具。
【発明の詳細な説明】
【０００１】
【発明の属する技術分野】
本発明は、上げ下げ窓や引き違い窓や片引き窓等の障子がスライドして開閉される建具に関する。
【０００２】
【従来の技術】
一般に、上げ下げ窓や引き違い窓等の建具では、室内側障子の召合せ内框にクレセント錠が固定され、クレセント錠の受け部材が室外側障子の召合せ外框に固定されるのが一般的である。この種のものでは、室内側障子の開閉時に、クレセント錠のスプーンが不用意に回動された場合、このスプーンが、例えば室外側障子の召合せ外框に衝突して、クレセント錠が破損する等の問題がある。
【０００３】
これを解消するため、従来、クレセントの回動阻止装置が提案されている（例えば、実公昭６４−２９２０号公報）。
【０００４】
【発明が解決しようとする課題】
しかし、従来のクレセントの回動阻止装置は、クレセントの他に、このクレセントの軸部に嵌合する回動阻止機構が必要になり、余分な部品点数が増し、構造が複雑であると共に、クレセントが室内側障子の召合せ内框の外側に突出して、室内側から見た場合の美観を損ねるという問題がある。
【０００５】
そこで、本発明の目的は、上述した従来の技術が有する課題を解消し、簡単な構造で、しかも室内側から見た場合の美観が向上し、高級感が得られるクレセント錠を備えた建具を提供することにある。
【０００６】
【課題を解決するための手段】
請求項１記載の発明は、４方枠内に室内側障子と室外側障子とを備え、前記室内側障子の召合せ内框にクレセント錠を備え、このクレセント錠がケース内にトリガとこのトリガの往復動作に応じて回動するキーとこのキーの回動によって拘束解除された場合に回動可能なスプーンとを一体に有し、前記ケースの表面に前記スプーンを回動して前記クレセント錠を施解錠する操作部を設けるとともに、当該ケースの裏面に前記トリガ、前記キー及び前記スプーンを当該裏面に沿った略同一面内に配置し、前記ケースが前記召合せ内框の表面部に前記操作部を臨ませて当該召合せ内框の内側に固定されていることを特徴とするものである。
【０００７】
この発明では、クレセント錠がケース内にトリガとこのトリガによって拘束解除された場合に動作可能なスプーンとを一体に有したため、構造が簡素化されると共に、ケースが召合せ内框の表面部に操作部を臨ませて当該召合せ内框の内側に固定されているため、召合せ内框の外側に余分なものが突出せず、室内側から見た場合の美観が向上して、高級感が得られる。
【０００８】
【発明の実施の形態】
以下に、本発明の実施の形態を添付図面に基いて詳述する。
【０００９】
図１は上げ下げ窓の縦断面図を示し、図２は同じく横断面図を示している。この上げ下げ窓はアルミニウム押し出し形材製のサッシであり、躯体開口部に固定された４方枠からなる枠体１を有し、この枠体１の略上半部に固定された固定障子３と、この枠体１に上げ下げ自在に取り付けられた室内側障子５と、枠体１の略下半部に固定された網戸７とを備えて構成されている。
【００１０】
枠体１は上枠１１と下枠１２と左右縦枠１３，１４とを四方枠組して構成されている。上枠１１と下枠１２と左右縦枠１３，１４は共に、室内部材１１Ａ〜１４Ａと室外部材１１Ｂ〜１４Ｂとを断熱用ブリッジ１１Ｃ〜１４Ｃで連結し、室内外を熱的に遮断可能に構成されている。
【００１１】
固定障子３は、上枠１１の室外部材１１Ｂと、枠体１の中程に設けられたアルミニウム製の下桟１６と、左右縦枠１３，１４の室外部材１３Ｂ，１４Ｂとの間にガラス１９を支持して構成されている。そして、室外部材１１Ｂと、下桟１６と、室外部材１３Ｂ，１４Ｂとの各室内側には、これらを覆う木製或いは樹脂製の室内側部材１５Ａ〜１５Ｄが取り付けられている。
【００１２】
室内側障子５は、上桟２５と下桟２６と左右縦框２７，２８とガラス２９とを備え、上桟２５と下桟２６と左右縦框２７，２８は共に、アルミニウム製の室外側部材２５Ａ〜２８Ａと、この室外側部材２５Ａ〜２８Ａの室内側にビス３１で固定され、室外側部材２５Ａ〜２８Ａの室内側を覆う木製或いは樹脂製の室内側部材２５Ｂ〜２８Ｂとを備えて複合的に構成されている。
【００１３】
本実施形態では、図３に示すように、室内側障子５の上桟（召合せ内框）２５にクレセント錠４１が固定され、このクレセント錠４１のクレセント受け５１が固定障子３の下桟（召合せ框）１６に固定されている。なお、４２Ｄは、クレセント錠４１を受けるクレセント錠スぺーサである。
【００１４】
クレセント錠４１は、図４に示すように、クレセント錠本体４２と樹脂製のクレセント錠カバー４３とを備えて構成される。
【００１５】
クレセント錠本体４２は、上桟２５を構成するアルミニウム製の室外側部材２５Ａに形成された切り欠き部４４に収納され、クレセント錠本体４２の操作部４２Ａを室内側部材２５Ｂ（２５Ｂ−１）の表面部に露出させて、室外側部材２５Ａの室外側側壁４５に一対の取り付けねじ４６を用いて固定されている。そして、クレセント錠本体４２の上にクレセント錠カバー４３が配置され、このクレセント錠カバー４３の胴部４３Ａに当接させて、室外側部材２５Ａの室内側に木製或いは樹脂製の室内側部材２５Ｂが取り付けられる。
【００１６】
この場合、クレセント錠本体４２の操作部４２Ａは、クレセント錠カバー４３の開口部４３Ｂを通じて上方に延出する。
【００１７】
図４では、室内側部材２５Ｂが、室外側部材２５Ａの上面を覆う上面室内側部材２５Ｂ−１と、室外側部材２５Ａの室内側側面を覆う側面室内側部材２５Ｂ−２とで構成され、これら各部材２５Ｂ−１、２５Ｂ−２の端面が、クレセント錠カバー４３の四辺胴部４３Ａに当接する。上面室内側部材２５Ｂ−１の下面には長溝２５Ｃが形成され、この長溝２５Ｃには、室外側部材２５Ａの上面に形成されたフィン４７が嵌合される。
【００１８】
一方、クレセント受け５１は、図５に示すように、固定障子３の下桟（召合せ框）１６に対して固定されている。
【００１９】
すなわち、クレセント受け５１はアルミニウム製の下桟１６に形成されたフィン１６Ａに一対の取り付け用ねじ５３を用いて固定される。そして、フィン１６Ａの室内側を覆うように、クレセント受け５１を避けるための切り欠き５４を有した、木製或いは樹脂製の室内側部材１５Ｂが、フィン１６Ａに対して、複数のねじ５５を用いて固定されている。
【００２０】
この構成では、室内側障子５の上桟２５の内、アルミニウム製の室外側部材２５Ａの上面にクレセント錠４１が固定され、このクレセント錠４１のクレセント受け５１が、アルミニウム製の下桟１６に固定されるため、クレセント錠４１或いは受け５１の固定強度が不足することはない。
【００２１】
従って、クレセント４１或いは受け５１に大きな荷重がかかっても、その荷重が室内側部材２５Ｂ，１５Ｂに直接作用することがなく、室内側部材２５Ｂ，１５Ｂの破損等が防止される。
【００２２】
図６Ａ、図６Ｂは、クレセント錠本体４２の構造を示す。
【００２３】
クレセント錠本体４２は、板金製のケース７１を有し、このケース７１の内側には、トリガ７３とこのトリガ７３によって拘束解除された場合に動作可能なスプーン７５とを一体に備えて構成されている。トリガ７３は、その先端７３Ａがケース７１の開口７１Ａから突出し、後端７３Ｂがコイルスプリング７６で押されてその全体７３が先端７３Ａ側に付勢されている。このトリガ７３の中程には窪み部７３Ｃが形成され、この窪み部７３Ｃにはキー７７の一端７７が係合している。このキー７７は、ばね７４を介して時計方向に付勢されている。このキー７７はピン７８を介して回動自在にケース７１に連結され、このキー７７の他端７７Ｂはスプーン７５の係止部７５Ａに連結される。このスプーン７５はピン８２を介してケース７１に連結されている。
【００２４】
このスプーン７５は略Ｕ字状の溝７５Ｂを備え、この略Ｕ字状の溝７５Ｂには操作ピン８３が嵌合し、この操作ピン８３はクレセント錠本体４２の操作部４２Ａの下面に固定されている。
【００２５】
上記構成では、トリガ７３、キー７７、スプーン７５の各々は、略同一面内で、往復動或いは回動する構成であるため、ケース７１の厚さを薄くすることができ、小型、コンパクト化が図れる。
【００２６】
クレセント錠本体４２の操作部４２Ａは、室内側障子５の上桟２５を構成する上面室内側部材２５Ｂ−１を貫通して上方に延出するため、上面室内側部材２５Ｂ−１の側から、この操作部４２Ａを矢印Ｘ方向にスライドさせることにより、このクレセント錠４１が施解錠される。
【００２７】
この場合、クレセント錠カバー４３の開口部４３Ｂの縁には傾斜が形成されており、操作部４２Ａとの間に指が入る程度の隙間が与えられるため、操作部４２Ａを掴まなくても、指先で簡単に動かすことができ、施解錠の操作性を向上させることができる。
【００２８】
図６では、コイルスプリング７６で押されることにより、トリガ７３が、先端７３Ａ側に付勢されているため、キー７７が図示の位置に回動し、キー７７の他端７７Ｂがスプーン７５の係止部７５Ａに連結される。
【００２９】
キー７７の他端７７Ｂがスプーン７５の係止部７５Ａに連結された状態では、スプーン７５を、図６Ｂでピン８２回りに反時計方向に回動させることができないため、クレセント錠本体４２の操作部４２Ａ（操作ピン８３）は、Ｘ方向に操作することができない。すなわち、ケース７１内のスプーン７５の動作はトリガ７３によって拘束されている。
【００３０】
これに対し、図７Ａ、図７Ｂに示すように、トリガ７３が、矢印Ｙ方向に押し込まれた場合、キー７７が、ばね７４のバネ力に抗して反時計方向（図示の位置）に回動し、キー７７の他端７７Ｂとスプーン７５の係止部７５Ａとの連結が解除される。この状態になった場合、スプーン７５が、トリガ７３の拘束から解除されて回動可能になる。ここで、操作部４２Ａの矢印Ｘ方向への操作が可能になり、この操作部４２Ａの操作によって、操作ピン８３が一体的に図７Ｂの右方向に移動し、スプーン７５が図示のようにピン８２回りを反時計方向に回動して、ケース１の外側に突出する。
【００３１】
図７は、中間位置であり、さらに操作部４２Ａが矢印Ｘ方向に操作されると、図８Ａ、図８Ｂに示すように、スプーン７５がピン８２回りを反時計方向に回動して、ケース１の外側に完全に突出する。
【００３２】
この完全に突出した状態では、図３に示すように、スプーン７５がクレセント受け５１に引っかかって、クレセント錠４１が施錠される。
【００３３】
この構成では、トリガ７３が、図３に示すように、下桟１６に取り付けられた室内側部材１５Ｂの側に突出している。従って、トリガ７３が室内側部材１５Ｂに当接している限り、それが矢印Ｙ方向に押し込まれるため、操作部４２Ａを矢印Ｘ方向に操作することができる。
【００３４】
ここで、注意が必要なのは、室内側障子５が上方に持ち上げられ、しかもスプーン７５が、室内側部材１５Ｂの側に突出した状態で、この室内側障子５が下方に下げられると、スプーン７５が、下桟１６に取り付けられた室内側部材１５Ｂの上面に衝突して損傷することである。
【００３５】
本実施形態では、室内側障子５が上方に持ち上げられ、トリガ７３が、下桟１６に取り付けられた室内側部材１５Ｂの上端から外れた場合、トリガ７３が突出し、操作部４２Ａの矢印Ｘ方向への操作が不可能になるため、この状態で、スプーン７５が、室内側部材１５Ｂの側に突出することはない。従って、スプーン７５が突出した状態で、室内側障子５が下げられることがなく、スプーン７５が、下桟１６に取り付けられた室内側部材１５Ｂの上面に衝突するといったトラブルが未然に解消される。
【００３６】
室内側障子５を下げる場合、トリガ７３が突出したままであり、この突出したトリガ７３が下桟１６の位置に到達すると、このトリガ７３が下桟１６の上面に接触し始める。この場合、トリガ７３の先端は、図４に示すように、下面が傾斜するため、室内側部材１５Ｂの上面になめらかに接触する。よって、この室内側部材１５Ｂの損傷が防止される。
【００３７】
このトリガ７３の先端は、上面も傾斜させて、略真横から見た場合、略二等辺三角形状に形成してもよい。
【００３８】
固定障子３の室内側に格子体（図示せず）が存在する場合があり、室内側障子５を上げる場合、トリガ７３の先端が該格子体に接触するおそれがある。この場合、トリガ７３の先端の上面を傾斜させておけば、該格子体との接触時の衝撃が緩和されるからである。
【００３９】
本実施形態では、トリガ７３、キー７７、スプーン７５の各々が、略同一面内で、往復動或いは回動する構成であり、ケース７１の厚さを薄くすることができ、小型、コンパクト化が図れるため、従来のものと比較した場合、余分な部品点数が減少し、構造が簡素化される。
【００４０】
ケース７１の薄型化、コンパクト化が図れるため、クレセント錠本体４２を、上桟２５を構成するアルミニウム製の室外側部材２５Ａに形成された切り欠き部４４に収納することができ、従って、クレセント錠カバー４３、操作部４２Ａ以外を、室内側部材２５Ｂ（２５Ｂ−１）で覆うことができ、室内側から見た場合の美観を向上させることができる。
【００４１】
この種の上げ下げ窓では、一般的に、室内側障子５の召合せ内框２５の上面部が居住者の目線と一致する高さに位置する。
【００４２】
本実施形態では、召合せ内框２５の上面部が目線に一致しても、クレセント錠本体４２は召合せ内框２５の内側に埋設されて、上面室内側部材２５Ｂ−１で覆い隠され、上面室内側部材２５Ｂ−１の上面部には、クレセント錠カバー４３と、クレセント錠本体４２の操作部４２Ａとが露出するだけであるため、美観が損なわれることがなく、高級感のある上げ下げ窓が得られる。
【００４３】
以上、本発明の実施の形態を図面により詳述してきたが、本発明は上記実施の形態に限定されるものではなく、本発明の要旨を逸脱しない範囲での種々の設計変更等が可能である。
【００４４】
本発明は、室内側障子及び室外側障子が共に可動の引き違いサッシや上げ下げサッシ、室内側障子が固定で室外側障子が可動の片引きサッシ、或いは室内側障子が可動で室外側障子が固定の片引きサッシや上げ下げサッシ等、種々の建具に適用可能なことは言うまでもない。
【００４５】
【発明の効果】
この発明では、クレセント錠がケース内にトリガとこのトリガによって拘束解除された場合に動作可能なスプーンとを一体に有したため、構造が簡素化されると共に、ケースが召合せ内框の表面部に操作部を臨ませて当該召合せ内框の内側に固定されるため、召合せ内框の外側に余分なものが突出せず、室内側から見た場合の美観が向上して、高級感が得られる。
【図面の簡単な説明】
【図１】本発明による建具の一実施形態を示す縦断面図である。
【図２】同じく横断面図である。
【図３】召し合わせ部の縦断面図である。
【図４】クレセント錠の取付状態を示す分解斜視図である。
【図５】クレセント受けの取付状態を示す分解斜視図である。
【図６】Ａはクレセント錠の斜視図、Ｂは平面図である。
【図７】Ａはクレセント錠の斜視図、Ｂは平面図である。
【図８】Ａはクレセント錠の斜視図、Ｂは平面図である。
【符号の説明】
３  固定障子
５  室内側障子
１５Ｂ  室内側部材
１６  下桟（召合せ框）
２５  上桟（召合せ内框）
２５Ａ  室外側部材
２５Ｂ，２５Ｂ−１，２５Ｂ−２  室内側部材
４１  クレセント錠
５１  クレセント受け
７１  ケース
７３  トリガ
７５  スプーン
７７  キー
【図１】
0004693294.tif 000002
【図２】
0004693294.tif 000003
【図３】
0004693294.tif 000004
【図４】
0004693294.tif 000005
【図５】
0004693294.tif 000006
【図６】
0004693294.tif 000007
【図７】
0004693294.tif 000008
【図８】
0004693294.tif 000009